(57)【要約】【課題】使用済みの垂れ幕や横断幕を廃棄することなく、これを適宜の大きさにカットしてかばん等の袋物、財布、カードケース、テントシート等の２次製品を製作すると共に、前記２次製品としてカットした残りの端切れを詰め込んで縫いぐるみ、ボール、マット、サンドバッグ等の詰め物を製作して、完全再利用処理する。【解決手段】１枚または複数枚の使用済みの垂れ幕または横断幕１をすべて再利用して２次製品２および詰め物８を製作すべく、該使用済みの垂れ幕または横断幕１の生地、大きさ、文字や模様あるいは色彩、または構成部材に応じて、２次製品２を製作するための２次製品袋物用材料片３と、端切れ片７を詰め込んで詰め物８を製作するための詰め物用材料片９とにカットし、前記２次製品用材料片３を用いて２次製品３を製作すると共に、詰め物用材料片９と端切れ片７を用いて詰め物８を製作する。【選択図】図２
2012123083.tif 000002
【特許請求の範囲】
【請求項１】
１枚または複数枚の使用済みの垂れ幕または横断幕をすべて再利用して２次製品および詰め物を製作すべく、前記垂れ幕または横断幕の生地、大きさ、文字や模様あるいは色彩、または構成部材に応じて、２次製品を製作するための２次製品袋物用材料片と、端切れ片を詰め込んで詰め物を製作するための詰め物用材料片とにカットする型紙を作成して、該型紙に合わせて該垂れ幕または横断幕にカットラインを形成し、前記カットラインに沿って前記垂れ幕または横断幕をカットして、２次製品用材料片、詰め物用材料片および端切れ片をそれぞれ切り取り、且つ該２次製品用材料片、詰め物用材料片および端切れ片をすべて洗浄して、前記２次製品用材料片、詰め物用材料片および端切れ片に付着した汚れを落した後、乾燥させて清浄な２次製品用材料片、詰め物用材料片および端切れ片とする一方、前記乾燥させた２次製品用材料片を用いて２次製品を製作すると共に、詰め物用材料片と端切れ片を用いて詰め物を製作することを特徴とする使用済み垂れ幕または横断幕の完全再利用処理方法。
【請求項２】
１枚または複数枚の使用済みの垂れ幕または横断幕をすべて再利用して２次製品および詰め物を製作すべく、前記垂れ幕または横断幕の生地、大きさ、文字や模様あるいは色彩、または構成部材に応じて、２次製品を製作するための２次製品袋物用材料片と端切れ片とにカットする型紙を作成して、該型紙に合わせて該垂れ幕または横断幕にカットラインを形成し、前記カットラインに沿って前記垂れ幕または横断幕をカットして、２次製品用材料片および端切れ片をそれぞれ切り取り、且つ該２次製品用材料片および端切れ片をすべて洗浄して、前記２次製品用材料片および端切れ片に付着した汚れを落した後、乾燥させて清浄な２次製品用材料片および端切れ片とする一方、前記乾燥させた２次製品用材料片を用いて２次製品を製作すると共に、端切れ片を詰め物本来の外層材内に詰め込んで詰め物を製作することを特徴とする使用済み垂れ幕または横断幕の完全再利用処理方法。
【請求項３】
２次製品が、手提げバッグ、財布、カードケース、テントシートである請求項１または請求項２記載の使用済み垂れ幕または横断幕の完全再利用処理方法。
【請求項４】
詰め物が、縫いぐるみ、ボール、マット、サンドバッグである請求項１または請求項２記載の使用済み垂れ幕または横断幕の完全再利用処理方法。
【発明の詳細な説明】
【技術分野】
【０００１】
本発明は、広告や宣伝、あるいは案内表示等の目的で、屋外のビル等の壁面や、道路の横断歩道橋の橋桁等に取付けられた垂れ幕や横断幕の使用後に、これら使用済みの垂れ幕や横断幕を廃棄することなく、これを適宜の大きさにカットしてかばん等の袋物、財布、カードケース、テントシート等の２次製品を製作すると共に、前記２次製品としてカットした残りの端切れを詰め込んで縫いぐるみ、ボール、マット、サンドバッグ等の詰め物を製作して、前記使用済みの垂れ幕または横断幕すべてを再利用することができる使用済みの垂れ幕または横断幕の完全再利用処理方法に関するものである。
【背景技術】
【０００２】
従来、使用済みの垂れ幕または横断幕は、再利用されることなく、廃棄物として処理されていた。そして、使用済みの垂れ幕または横断幕の再利用方法につき過去の特許文献を遡及検索しても、１件の特許文献をも発見することができなかった。そして、下記の２件の特許文献に開示された横断幕が公知であるが、いずれも分別処理をしないですべて焼却処理ができるということが、その効果として記載されている。しかしながら、下記の特許文献に記載の発明には、使用済みの横断幕を再利用するということについては全く記載されておらず、またそれを示唆する記載も全くない。
【先行技術文献】
【特許文献】
【０００３】
【特許文献１】実用新案登録第３１０５６１６号公報
【特許文献２】実用新案登録第３１１３８９８号公報
【発明の概要】
【発明が解決しようとする課題】
【０００４】
前記のように、従来は使用済みの垂れ幕または横断幕を再利用するという発想は全くなく、また前記各特許文献に記載の横断幕も使用済みとなった場合は、焼却処理することを目的としているため、再利用を図ることを全く考慮にいれていないので、強靭で、防水性および耐熱性に優れている素材により形成された垂れ幕や横断幕が、使用後に廃棄されるのは、資源の無駄使いであって、「エコ」とか「再利用(リユース)」、あるいは「リサイクル」など、声高に叫ばれている昨今の状況には全くそぐわないという課題があった。
【０００５】
本発明は、前記課題を解決すべくなされたものであって、使用済みの垂れ幕または横断幕を全く廃棄することなく、これを適宜の大きさにカットして手提げバッグ、財布、カードケース、テントシート等の２次製品を製作すると共に、前記２次製品用としてカットした残りの端切れを詰め込んで縫いぐるみ、ボール、マット、サンドバッグ等の詰め物を製作して、すべて再利用するようにした使用済みの垂れ幕または横断幕の完全再利用処理方法を提供しようとするものである。
【課題を解決するための手段】
【０００６】
本発明は、請求項１において、１枚または複数枚の使用済みの垂れ幕または横断幕をすべて再利用して２次製品および詰め物を製作すべく、前記垂れ幕または横断幕の生地、大きさ、文字や模様あるいは色彩、または構成部材に応じて、２次製品を製作するための２次製品用材料片と、端切れ片を詰め込んで詰め物を製作するための詰め物用材料片とにカットする型紙を作成して、該型紙に合わせて該垂れ幕または横断幕にカットラインを形成し、前記カットラインに沿って前記垂れ幕または横断幕をカットして、２次製品用材料片、詰め物用材料片および端切れ片をそれぞれ切り取り、且つ該２次製品用材料片、詰め物用材料片および端切れ片をすべて洗浄して、前記２次製品用材料片、詰め物用材料片および端切れ片に付着した汚れを落した後、乾燥させて清浄な２次製品用材料片、詰め物用材料片および端切れ片とする一方、前記乾燥させた２次製品用材料片を用いて２次製品を製作すると共に、詰め物用材料片と端切れ片を用いて詰め物を製作するという手段を採用することにより、上記課題を解決した。
更に、本発明は、請求項２において、１枚または複数枚の使用済みの垂れ幕または横断幕をすべて再利用して２次製品および詰め物を製作すべく、前記垂れ幕または横断幕の生地、大きさ、文字や模様あるいは色彩、または構成部材に応じて、２次製品を製作するための２次製品袋物用材料片と端切れ片とにカットする型紙を作成して、該型紙に合わせて該垂れ幕または横断幕にカットラインを形成し、前記カットラインに沿って前記垂れ幕または横断幕をカットして、２次製品用材料片および端切れ片をそれぞれ切り取り、且つ該２次製品用材料片および端切れ片をすべて洗浄して、前記２次製品用材料片および端切れ片に付着した汚れを落した後、乾燥させて清浄な２次製品用材料片および端切れ片とする一方、前記乾燥させた２次製品用材料片を用いて２次製品を製作すると共に、端切れ片を詰め物本来の外層材内に詰め込んで詰め物を製作するという手段を採用することにより、上記課題を解決した。
【発明の効果】
【０００７】
本発明方法によれば、使用済みの垂れ幕または横断幕を全く廃棄することなく、これを適宜の大きさにカットして手提げバッグ、財布、カードケース、テントシート等の２次製品を製作すると共に、前記２次製品としてカットした残りの端切れを詰め込んで縫いぐるみ、ボール、マット、サンドバッグ等の詰め物を製作してすべて再利用するようにした使用済みの垂れ幕または横断幕を完全再利用することができるので、使用済み垂れ幕または横断幕の処理依頼者は安心して、その処理の依頼ができるし、また、購入者にとっても前記再利用製品を購入することで、資源の無駄使いをなくすということに協力するという意欲を高めて、購入者の購入意欲をそそり、販売上有利である。
【図面の簡単な説明】
【０００８】
【図１】本発明使用済みの垂れ幕または横断幕の完全再利用処理方法において、使用済みの横断幕にカットラインを形成した状態を示す平面図である。
【図２】本発明使用済みの垂れ幕または横断幕の完全再利用処理方法を用いて製造された２次製品の斜視図である。
【図３】本発明使用済みの垂れ幕または横断幕の完全再利用処理方法を用いて製造された詰め物の一部切欠き斜視図である。
【実施例】
【０００９】
垂れ幕または横断幕の生地は、該垂れ幕または横断幕が屋外において長期間に亘って、風雨や太陽光に曝されるものであるため、これら風雨や太陽光に耐え得る防水性や耐熱性を有する強靭な素材により形成されており、特にビニール系のターポリン、テトロン系化繊であるトロマット、綿系の帆布が一般に使用されている。                 
【００１０】
本発明者は、長期間に亘って風雨や太陽光に曝されても破損することのない、前記防水性や耐熱性を有する強靭な生地により形成された垂れ幕または横断幕の使用後、廃棄処分されるのは資源の無駄使いであるという観点から、特に、一般の素材を使用することなく、今迄にない変った素材を使用することが、若者に受け入れられる傾向にあることから、前記使用済み垂れ幕または横断幕の文字等の表示や色彩、あるいはロープやハト目等の各素材をそのまま利用して、手提げバッグ、財布、カードケース、テントシート等の２次製品を製作すると共に、前記２次製品用としてカットした残りの端切れを用いて縫いぐるみ、ボール、マット、サンドバッグ等の詰め物を製作し、完成した手提げバッグ、財布、カードケース、テントシート等の２次製品として販売し、または縫いぐるみ、ボール、マット、サンドバッグ等の詰め物として販売し、従来は廃棄処分していた使用済みの垂れ幕または横断幕すべてを再利用することにより、資源の有効利用を図ることを目的として発明したものである。
【００１１】
本発明で再利用する使用済みの垂れ幕または横断幕の生地は、前記ターポリン、トロマット、あるいは帆布の外、垂れ幕または横断幕として使用されたものはすべて利用する。また、垂れ幕または横断幕の構造も、生地に糸、あるいはハト目を使用してロープ材を固着したもの等、種々のものが存在するが、本発明においては、幕生地やロープ材の外、ハト目等の金属部材を含めてすべて再利用の材料として使用する。以下、本発明における使用済み垂れ幕または横断幕の再利用の方法について詳細に説明する。
【００１２】
本発明においては、使用済みの垂れ幕または横断幕の生地の種類、大きさ、文字や模様、あるいは色彩、ロープ等の構成部材等に関係なく、１枚の垂れ幕または横断幕ごとに再利用することが好ましいが、複数枚の垂れ幕または横断幕を合わせて使用することもできる。
【００１３】
垂れ幕または横断幕の掲示期間が終った後、使用済みの垂れ幕または横断幕１は、その掲示者より処理を依頼されると、再利用処理ヤードに運ばれて、該使用済みの垂れ幕または横断幕１の大きさ、文字や模様あるいは色彩、またはロープ等の構成部材等によって、デザイナー等がどの部分をカットして、手提げバッグ、財布、カードケース、テントシート等の２次製品２を製作する２次製品用材料片３とするかの型紙（図示せず）を作成し、然る後、該型紙に合わせて前記使用済みの垂れ幕または横断幕１にカットライン４を形成する。その際、前記使用済みの垂れ幕または横断幕１を構成するロープ材５およびハト目等の金属部材６等の構成部材を含めて、２次製品用材料片３の一部とすることも可能である。
【００１４】
更に、後述するように、前記２次製品用材料片３をカットライン４に沿ってカットした後に残った端切れ片７を利用して、縫いぐるみ、ボール、マット、サンドバッグ等の詰め物８を製作する詰め物用材料片９とするカットライン４をも合わせて形成する。図３においては、詰め物８の例として、縫いぐるみが図示されている。以下、説明の都合上、詰め物８を縫いぐるみとして説明する。
【００１５】
前記使用済みの垂れ幕または横断幕１をカットライン４に沿ってカットして、２次製品用材料片３、詰め物用材料片９および端切れ片７をそれぞれ切り取り、且つ該各２次製品用材料片３、詰め物用材料片９および端切れ片７をすべて洗濯機等の洗浄装置に投入して洗浄し、前記２次製品用材料片３、詰め物用材料片９および端切れ片７に付着した汚れを落して乾燥させ、清浄な２次製品用材料片３、詰め物用材料片９および端切れ片７とする。
【００１６】
次に、前記清浄な２次製品袋物用材料片３を前記型紙に基づいて縫着して、必要であればファスナー、ボタンや持ち手等の補助部材１０を使用して、手提げバッグ、財布、カードケース、テントシート等の２次製品２を製作する。前記２次製品２は、使用済みの垂れ幕または横断幕１の大きさによって、その製作される数は制約される。
【００１７】
一方、前記２次製品用材料片３を用いて２次製品２を製作すると同時に、詰め物用材料片９と端切れ片７を用いて縫いぐるみ等の詰め物８を製作するが、該詰め物用材料片９に端切れ片７を詰め込むための詰込み用開口部１１を残して縫着し、該詰込み用開口部１１からすべての端切れ片７を詰め込んで、然る後、前記詰込み用開口部１１を縫合して縫いぐるみ等の詰め物８を完成する。なお、前記詰め物８の大きさは、型紙を作成する段階で、詰め物用材料片９と端切れ片７の量を予め想定して作成する必要がある。
【００１８】
なお、前記詰め物８は、すべて使用済みの垂れ幕または横断幕１を用いて製造することができない場合、該詰め物８を構成する外層材は、図示していないが、一般に使用されている詰め物本来の外層材を用いて、その内部に前記端切れ片７を詰め込んで製造しても良い。
【符号の説明】
【００１９】
１  使用済みの垂れ幕または横断幕
２  ２次製品
３  ２次製品用材料片
４  カットライン
５  ロープ材
６  金属材料
７  端切れ片
８  詰め物
９  詰め物用材料片
１０  補助部材
１１  詰め込み用開口部
【図１】
2012123083.tif 000003
【図２】
2012123083.tif 000004
【図３】
2012123083.tif 000005